(57)【要約】【課題】この考案は、足への装着が簡単で、嵩張らず、日常の着用が可能な程度にコンパクト化し、起立時および歩行時等、足裏に体重がかかるとき、その重力を利用して土踏まずを圧迫し、除々に変形して扁平足を治療できる足底部矯正帯の提供。【解決手段】主体を構成する裁断布は、前端縁と後端縁とにおける前後の最大巾が着用者の土踏まず巾に対応して被う長さを有して裁断され、主体における左右の一方の端縁と、反対の他方の端縁とを掛着自在のバンドを接続し、主体における後端縁にかかと掛けバンドの左右端を固着し、主体の内底面または外底面に土踏まず形成体を配備してなる足底部矯正帯。【選択図】図４
0003104939.tif 000002
【実用新案登録請求の範囲】
【請求項１】
主体を構成する裁断布は、前端縁と後端縁とにおける前後の最大巾が着用者の土踏まず巾に対応して被う長さを有して裁断され、主体における左右の一方の端縁と、反対の他方の端縁とを掛着自在のバンドを接続し、主体における後端縁にかかと掛けバンドの左右端を固着し、主体の内底面または外底面に土踏まず形成体を配備してなる足底部矯正帯。
【請求項２】
主体を構成する裁断布は、少なくとも左右方向には所要の引張力を受けると伸長し、その引張力がなくなると収縮して元の形状に復帰し、前端縁と後端縁とにおける前後の最大巾が着用者の土踏まず巾に対応して被う長さを有して裁断され、主体における左右の一方の端縁に掛針を具えたファスナーを固着し、反対の他方の端縁に、内面にパイルを具えたファスナーバンドを固着して接続し、主体における後端縁にかかと掛けバンドの左右端を固着し、主体の内底面または外底面に土踏まず形成体を配備してなる足底部矯正帯。
【請求項３】
主体を構成する裁断布は、通気性があって左右の横方向には所要の引張力を受けると伸長し、その引張力がなくなると収縮して元の形状に復帰し、左右の横方向に対して前後の縦方向には引張力を受けてもほとんど伸長しない伸縮性を有し、前端縁と後端縁とにおける上下の最大巾が着用者の土踏まず巾に対応して被う長さを少なくとも有し、左端縁と右端縁の前後が前記土踏まず巾より絞られて裁断され、主体における左右の一方の端縁に掛針を具えたファスナーを固着し、反対の他方の端縁に、内面にパイルを具えたファスナーバンドを固着して接続し、主体における後端縁にかかと掛けバンドの左右端を固着し、主体の内底面または外底面に土踏まず形成体を配備してなる足底部矯正帯。
【請求項４】
裁断布の前端縁に、裁断布と同様に長さ方向に伸長するが、その横断方向には、ほとんど伸長しない前端縁テープを二つ折りして逢着し、裁断布の後端縁に、裁断布と同様に長さ方向に伸長するが、その横断方向には、ほとんど伸長しない後端縁テープを二つ折りして逢着してなる請求項２または請求項３の足底部矯正帯。
【請求項５】
主体の内底面または外底面に土踏まず形成体を、周縁を主体に逢着したカバー布により被覆し、内蔵配備してなる請求項１、請求項２、請求項３または請求項４の足底部矯正帯。
【請求項６】
土踏まず形成体は、合成樹脂製高密度弾性材により構成し、その形状は足裏に対応する上面を平坦面に形成し、反対の下面を、内側縁寄り前後に形成する中高の突湾峰を中心に緩やかに傾斜する外側傾斜面と、急傾斜の内側傾斜面に形成してなる請求項２、請求項３、請求項４または請求項５の足底部矯正帯。
【考案の詳細な説明】
【技術分野】
【０００１】
この考案は、足底に土踏まずを形成する足底部矯正帯に関するものである。
【背景技術】
【０００２】
人の足裏は、起立時および移動時において足底に掛る衝撃を吸収・軽減し、疲労しないアーチを形成している。しかし、人により土踏まずの形はいろいろであり、中には全く形成されず扁平になっていることもある。
【０００３】
このため、土踏まずを形成する器具および矯正帯がいろいろと提案されている。例えば、履物として、実公平４−３６８７８号公報には、つま先に一時的に固定する手段を有する足を載せる底板は、土踏まずの部分の一部分とかかと部分に接触する部分がないものが提案されている。また、当て部材付き足サポーターとして、実登第２５９５０５０号公報には、足を被うサポーター本体と、この本体の一部に取付けられている衝撃吸収材からなる当部材と、サポーター本体の土踏まずを通る周囲部分に設けられ足を強く締付け、足の体積を減少させる強締付け部からなるものが提案されている。
【特許文献１】実公平４−３６８７８号
【特許文献１】実登第２５９５０５０号
【考案の開示】
【考案が解決しようとする課題】
【０００４】
前記実公平４−３６８７８号の扁平足矯正履物では、かかと部分が全くないから、歩行には支障をきたし、かかと部分の保護がないから屋外で運動をすることができない。実登第２５９５０５０号の当て部材付き足サポーターは、土踏まず部分を強く締付ける強締付け部を具えるので、足を変形することができるが、常時使用すると、圧迫による損傷を足にもたらす恐れがある。
【０００５】
この考案は、足への装着が簡単で、嵩張らず、日常の着用が可能な程度にコンパクト化し、起立時および歩行時等、足裏に体重がかかるとき、その重力を利用して土踏まずを圧迫し、除々に変形して扁平足を治療しようとするものである。
【課題を解決するための手段】
【０００６】
主体を構成する裁断布は、前端縁と後端縁とにおける前後の最大巾が着用者の土踏まず巾に対応して被う長さを有して裁断され、主体における左右の一方の端縁と、反対の他方の端縁とを掛着自在のバンドを接続し、主体における後端縁にかかと掛けバンドの左右端を固着し、主体の内底面または外底面に土踏まず形成体を配備してなる足底部矯正帯にある。
【０００７】
主体を構成する裁断布は、少なくとも左右方向には所要の引張力を受けると伸長し、その引張力がなくなると収縮して元の形状に復帰し、前端縁と後端縁とにおける前後の最大巾が着用者の土踏まず巾に対応して被う長さを有して裁断され、主体における左右の一方の端縁に掛針を具えたファスナーを固着し、反対の他方の端縁に、内面にパイルを具えたファスナーバンドを固着して接続し、主体における後端縁にかかと掛けバンドの左右端を固着し、主体の内底面または外底面に土踏まず形成体を配備してなる足底部矯正帯としてもよいものである。
【０００８】
主体を構成する裁断布は、通気性があって左右の横方向には所要の引張力を受けると伸長し、その引張力がなくなると収縮して元の形状に復帰し、左右の横方向に対して前後の縦方向には引張力を受けてもほとんど伸長しない伸縮性を有し、前端縁と後端縁とにおける上下の最大巾が着用者の土踏まず巾に対応して被う長さを少なくとも有し、左端縁と右端縁の前後が前記土踏まず巾より絞られて裁断され、主体における左右の一方の端縁に掛針を具えたファスナーを固着し、反対の他方の端縁に、内面にパイルを具えたファスナーバンドを固着して接続し、主体における後端縁にかかと掛けバンドの左右端を固着し、主体の内底面または外底面に土踏まず形成体を配備してなる足底部矯正帯としてもよいものである。
【０００９】
裁断布の前端縁に、裁断布と同様に長さ方向に伸長するが、その横断方向には、ほとんど伸長しない前端縁テープを二つ折りして逢着し、裁断布の後端縁に、裁断布と同様に長さ方向に伸長するが、その横断方向には、ほとんど伸長しない後端縁テープを二つ折りして逢着してもよいものである。
【００１０】
主体の内底面または外底面に土踏まず形成体を、周縁を主体に逢着したカバー布により被覆し、内蔵配備してもよいものである。
【００１１】
土踏まず形成体は、合成樹脂製高密度弾性材により構成し、その形状は足裏に対応する上面を平坦面に形成し、反対の下面を、内側縁寄り前後に形成する中高の突湾峰を中心に緩やかに傾斜する外側傾斜面と、急傾斜の内側傾斜面に形成してもよいものである。
【考案の効果】
【００１２】
この考案の足底部矯正帯は、主体は、左右方向に引張力を受けると適宜伸長し、土踏まず形成体の部分を着用者の土踏まず部分に当て、また、かかと掛けバンドをかかとに掛け、それからファスナーバンドを引張って左側のファスナーに掛合し、巻締めて簡易に装着することができる。
【００１３】
一旦、足底部矯正帯を装着者の足に装着すると、主体およびかかと掛けバンドの復帰力と足首回りと土踏まず回りとで巻締めるから、前後左右に適正な保持力が作用して土踏まず形成体の当て位置がずれることがない。
【００１４】
また、土踏まず形成体は、適度の弾力性と湾曲性があるから、着用者の土踏まずに適合して接面する。
【００１５】
また、土踏まず形成体は横断面が略三角に形成されるので、床面、靴の内底に連接するとき、その形状に比例する圧迫力を体重、踏み圧により受け、土踏まずの治療効果を奏すものである。
【００１６】
また、全体が通気性ある帯布により薄手に設けられるので嵩張らず、靴を履くことができ、また、締付け力も弱いので長時間着用が可能である。
【考案を実施するための最良の形態】
【００１７】
主体を構成する裁断布は、通気性があって左右の横方向には所要の引張力を受けると伸長し、その引張力がなくなると収縮して元の形状に復帰し、左右の横方向に対して前後の縦方向には引張力を受けてもほとんど伸長しない伸縮性を有し、前端縁と後端縁とにおける上下の最大巾が着用者の土踏まず巾に対応して被う長さを少なくとも有し、左端縁と右端縁の前後が前記土踏まず巾より絞られて裁断され、裁断布の前端縁に、裁断布と同様に長さ方向に伸長するが、その横断方向には、ほとんど伸長しない前端縁テープを二つ折りして逢着し、裁断布の後端縁に、裁断布と同様に長さ方向に伸長するが、その横断方向には、ほとんど伸長しない後端縁テープを二つ折りして逢着し、主体における左右の一方の端縁に掛針を具えたファスナーを固着し、反対の他方の端縁に、内面にパイルを具えたファスナーバンドを固着して接続し、主体における後端縁にかかと掛けバンドの左右端を固着し、主体の内底面に、周縁を主体に逢着したカバー布により被覆して内蔵配備する土踏まず形成体を、合成樹脂製高密度弾性材により構成し、その形状は足裏に対応する上面を平坦面に形成し、反対の下面を、内側縁寄り前後に形成する中高の突湾峰を中心に緩やかに傾斜する外側傾斜面と、急傾斜の内側傾斜面に形成してなる足底部矯正帯。
【実施例】
【００１８】
以下、この考案の足底部矯正帯を図面に示す実施例の左足底部矯正帯１にしたがって説明すると、主体２を構成する通気性裁断布２ａは、図１に示ように、通気性があってＸ−Ｘ方向には所要の引張力を受けると伸長し、その引張力がなくなると収縮して元の形状に復帰し、Ｙ−Ｙ方向には引張力を受けてもほとんど伸長しない伸縮性を有し、前端縁２ａ１と後端縁２ａ２とにおける上下の最大巾が着用者の土踏まず巾に対応して被う長さを少なくとも有し、左端縁２ａ３と右端縁２ａ４の上下巾が前記土踏まず巾より絞られて裁断される。前記通気性裁断布２ａの前端縁２ａ１に、図２に示すように、通気性裁断布２ａと同様に長さ方向に伸長するが、その横断方向には、ほとんど伸長しない前端縁テープ２ｂを二つ折りして糸３により逢着し、また、前記通気性裁断布２ａの後端縁２ａ２に、図３に示すように、通気性裁断布２ａと同様に長さ方向に伸長するが、その横断方向には、ほとんど伸長しない後端縁テープ２ｃを二つ折りして糸３により逢着している。
【００１９】
前記主体２における左端縁２ａ３の下面に掛針群４ａを具えたファスナー４を糸３による逢着等の固着手段により固着し、反対の右端縁２ａ４の下面に、内面にパイル５ａを具えたファスナーバンド５を糸３による逢着等の固着手段により固着して接続している。このファスナーバンド５は、長手方向にも、また、その横断方向にも伸長しないものが実施例として使用されている。
【００２０】
前記主体２の内底面（図示するごとく）または反対面の外底面（図示しない）に土踏まず形成体６を、周縁を主体２に逢着したカバー布７により被覆して内蔵配備している。
【００２１】
前記土踏まず形成体６は、合成樹脂製高密度弾性材により構成している。そして、この土踏まず形成体６は、適度の収縮性と、湾曲性を有して着用者の土踏まず部分に適合する。また、の形状は、図４のＡ−Ａ線に沿う断面図の図６と、図４のＢ−Ｂ線に沿う断面図の図７とに示すように、上面６ａは、平坦面に形成され、また、下面６ｂは、左足の右側縁寄り前後に形成する中高の突湾峰６ｂ１を中心に緩やかに傾斜する左側傾斜面６ｂ２と、急傾斜の右側傾斜面６ｂ３に形成される。
【００２２】
前記主体２における後端縁２ａ２の下面にかかと掛けバンド８の左右端８ａ、８ｂを逢着等の固着手段により固着して接続している。このかかと掛けバンド８は、長手方向に伸長するが、その横断方向にはほとんど伸長しない、前記通気性裁断布２ａと同一の素材から設けている。
【００２３】
前記実施例では、主体２を構成する好ましい例として、通気性裁断布２ａを説明したが、これに限定されるものではなく、また、伸縮性についても、前後方向には、ほとんど伸長しないものとしたが、土踏まず形成体６を定位置に維持する実用面で、多少の伸長はしてもよいものである。前端縁テープ２ｂ、後端縁テープ２ｃ、かかと掛けバンド８についても同様である。
【００２４】
この考案の足底部矯正帯の実施例である左足底部矯正帯１は、前述のように構成されるものであるから、図８および図９に示すように、主体２は、土踏まず形成体６の部分を除き、左右方向に引張力を受けると適宜伸長し、土踏まず形成体６の部分を着用者の土踏まず部分に当て、また、かかと掛けバンド８をかかとに掛け、それからファスナーバンド５を引張って左側のファスナー４に掛合し、巻締めて簡易に装着することができるものである。
【００２５】
右足底部矯正帯は、前記左足底部矯正帯１と同一趣旨の構成になるから、その実施例の説明は省略する。
【産業上の利用可能性】
【００２６】
この考案は、構成が簡単で嵩張らず、日常の着用が可能な程度にコンパクト化し、足への装着が容易である。
【図面の簡単な説明】
【００２７】
【図１】この考案の足底部矯正帯の実施例である左足底部矯正帯の主体を構成する通気性裁断帯布の平面図である。
【図２】前記通気性裁断帯布の前端縁を上下にカバーする前端縁テープの展開平面図である。
【図３】前記通気性裁断帯布の後端縁を上下にカバーする後端縁テープの展開平面図である。
【図４】この考案の足底部矯正帯の展開平面図である。
【図５】同じく、足底部矯正帯の展開平面図である。
【図６】図１のＡ−Ａ線に沿う断面図である。
【図７】図１のＢ−Ｂ線に沿う断面図である。
【図８】この考案の足底部矯正帯の締付けバンドの先端側を他側縁の掛着連結部に連結した状態を示す平面図である。
【図９】同じく、足部に装着した使用状態を示す説明図である。
【符号の説明】
【００２８】
１  左足底部矯正帯
２  主体
２ａ  通気性裁断布
２ａ１  前端縁
２ａ２  後端縁
２ａ３  左端縁
２ａ４  右端縁
２ｂ  前端縁テープ
２ｃ  後端縁テープ
３  糸
４  ファスナー
４ａ  掛針群
５ａ  パイル
５  ファスナーバンド
６  土踏まず形成体
６ａ  上面
６ｂ  下面
６ｂ１  突湾峰
６ｂ２  左側傾斜面
６ｂ３  右側傾斜面
７  カバー布
８  かかと掛けバンド
８ａ  左端
８ｂ  右端
【図１】
0003104939.tif 000003
【図２】
0003104939.tif 000004
【図３】
0003104939.tif 000005
【図４】
0003104939.tif 000006
【図５】
0003104939.tif 000007
【図６】
0003104939.tif 000008
【図７】
0003104939.tif 000009
【図８】
0003104939.tif 000010
【図９】
0003104939.tif 000011